(57)【特許請求の範囲】
【請求項１】
印影データ用ファイルと、前記印影データ用ファイルの制御を行う印鑑照合用コントローラを有し、印影データの表示装置を有しない印鑑照合システムと連携して印影表示を行う端末装置において、
前記端末装置は通信回線を介して印鑑照合用コントローラに接続され、かつ、各種情報を表示する業務ディスプレイ装置、及び印影データ用ファイルから読み出した印影データを表示する印影データ表示専用の印影表示装置が接続されると共に、
印鑑照合を行う際、オペレータのキー操作情報に基づいて、印影表示させる表示装置の選択制御、印影の検索条件入力画面への表示装置選択情報の表示、或いは優先度の最も高い表示装置のディフォルト表示を行う際に参照する情報を含む表示装置制御リストを作成し、印鑑照合メイン制御部を呼び出す業務処理部と、
前記表示装置制御リストを受け取り、このリストをメモリに格納し、検索条件処理部を呼び出し、検索条件の表示依頼を行う印鑑照合メイン制御部と、
前記検索条件の表示依頼を受け取り、前記メモリの表示装置制御リストを参照し、業務ディスプレイに検索条件入力画面、及び印影データ等の表示を行うための業務ディスプレイ印影表示処理部に表示依頼を通知する検索条件処理部と、
前記検索条件処理部への表示依頼の通知を受けて、業務ディスプレイ装置に検索条件入力画面を表示し、この画面からオペレータにより指定された印影の検索条件、及びオペレータが画面に表示された印影表示用の表示装置のリストを参照して、オペレータによって指定された印影表示用の表示装置の指定情報を基に、前記印鑑照合用コントローラに依頼して印影データを獲得し、その印影データを指定された前記業務ディスプレイ装置又は印影表示装置へ表示する印影データ表示制御手段と、
印影表示制御を行うための印影管理テーブルに、印鑑照合依頼毎の番号である印影通番、端末装置間の連携パス情報、管理ノード情報、端末装置間の連携ステータス情報、及び検索条件入力画面の識別情報を含む管理情報を書き込んで管理するテーブル管理手段と、 印影表示の表示装置が自ノードに指定された場合、前記テーブル管理手段に依頼して管理情報を書き込むと共に、印影データを獲得して自ノードの指定された表示装置に印影表示する自ノード印影表示制御手段と、
印影表示の表示装置が他ノードに指定された場合、他ノードとの管理情報の送受信を行い、前記テーブル管理手段に依頼して管理情報を書き込むと共に、他ノードの表示装置で印影表示をさせるための連携制御を行う他ノード連携制御手段と、
他ノードで印影データの表示中に、他ノードから自ノードへ表示切り替えする場合、前記連携パス情報を利用して他ノードとの連携制御を行うことにより、他ノードへ印影データのコピーを依頼して印影データを獲得し、指定された自ノードで印影表示する第１の表示切り替え制御手段と、
自ノードで印影データの表示中に、自ノードから他ノードへ表示切り替えする場合、前記連携パス情報を利用して他ノードとの連携制御を行うことにより、自ノードの印影データを該当ノードへコピーして表示させる第２の表示切り替え制御手段と、
他ノードで印影データの表示中に、他ノードの印影データを別の他ノードへ表示切り替えする場合、前記連携パス情報を利用して他ノードとの連携制御を行うことにより、自ノードを経由して切り替え元から切り替え先のノードへ印影データをコピーして表示させる第３の表示切り替え制御手段を備えていることを特徴とした端末装置。
【請求項２】
印鑑照合を行う際、印影表示させる表示装置の選択制御を行うための表示優先度を含む表示装置制御リストを作成するリスト作成手段と、
前記表示装置制御リストを基に、印影の検索条件入力画面に表示装置選択情報を表示させる画面表示手段を備えていることを特徴とした請求項１記載の端末装置。
【請求項３】
印影の検索条件入力画面を表示させる際、内部に保持されている表示装置制御用の表示装置制御リストを参照し、優先度の最も高い表示装置をディフォルト表示する画面表示手段を備えていることを特徴とした請求項１記載の端末装置。
【請求項４】
印影表示させる表示装置の指定が他の端末装置に接続された表示装置の場合、他の端末装置と連携して前記獲得した印影データを他の端末装置側で表示させるための印影データ連携制御手段を備えていることを特徴とした請求項１記載の端末装置。
【請求項５】
自業務ディスプレイ装置で印影表示中に表示切り替え指示が出された場合、内部に保持している表示装置制御用の表示装置制御リストを参照し、前記表示装置制御リスト中の最も優先度の高い印影表示装置へ印影表示を行い、現在表示している業務ディスプレイ装置の印影を消去する第１の印影表示切り替え手段と、
自印影表示装置で印影表示中に表示切り替え指示が出された場合、自業務ディスプレイ装置へ印影表示し、現在表示している自印影表示装置の印影を消去する第２の印影表示切り替え手段を備えていることを特徴とした請求項１記載の端末装置。
【発明の詳細な説明】
【０００１】
【産業上の利用分野】
本発明は、銀行等の金融機関の店舗に設置され、取引の際、顧客の取引印鑑を、登録済みの印鑑と照合する印鑑照合処理に利用され、特に、印鑑照合システムと連携運用する端末装置に関する。
【０００２】
近年、金融機関の業務においては、印鑑照合システムの導入により、システム設置スペースの有効利用と、システム導入時のコスト削減と、マシンネック及びオペレータの離席に伴う顧客の待ち時間削減が要求されている。
【０００３】
このため、通常業務を行うための業務端末装置と、印鑑照合システムを連携運用するシステムにおいても、システム中の現状装置の機能分担を見直すことにより、システム設置スペースの有効利用、導入コストの削減、顧客待ち時間の削減を行う必要がある。
【０００４】
【従来の技術】
図２０は従来例の説明図であり、図２０中、１はホスト（ホストコンピュータ）、２は金融業務用コントローラ、３は印鑑照合システム、４はＬＡＮ回線、５は印影データ用ファイル、６は印鑑照合用コントローラ、７は印影表示制御装置、１０は接続ケーブル、１２−１〜１２−３は業務ワークステーション、１３−１〜１３−３は業務ディスプレイ装置、１４−１、１４−２は印影表示装置を示す。
【０００５】
従来、銀行等の金融機関の店舗には、窓口業務等の通常の金融業務を行うための金融業務用システム、及び顧客の取引印鑑の照合を行うための印鑑照合システム３等が設置されていた。
【０００６】
印鑑照合システム３は、印影データ用ファイル５、印鑑照合用コントローラ６、印影表示制御装置７、複数の印影表示装置１４−１、１４−２等で構成されており、金融業務用システムは、ＬＡＮ回線４に接続された金融業務用コントローラ２、及び複数の業務ワークステーション１２−１、１２−２、１２−３等で構成されている。
【０００７】
また、前記各業務ワークステーション１２−１、１２−２、１２−３には、各種情報を表示するための業務ディスプレイ装置１３−１、１３−２、１３−３が接続されている。そして、前記金融業務用システムと印鑑照合システム３との連携運用を行うため、金融業務用コントローラ２と印鑑照合用コントローラ６とをケーブルにより接続していた。
【０００８】
前記金融業務用コントローラ２は、通信回線を介してホスト１に接続されており、ホスト１と各種金融業務上の通信を行い、金融業務用システムの制御を行うと共に、印鑑照合システム３との連携制御を行うものである。
【０００９】
前記印鑑照合システム３では、複数の印影表示装置１４−１、１４−２（印影表示専用の装置）をそれぞれ接続ケーブル１０で印影表示制御装置７に接続し、印影表示制御装置７により表示制御を行っていた。
【００１０】
前記のように、金融業務用システムと印鑑照合システム３との連携運用を行う際、業務ワークステーション１２−１〜１２−３には、それぞれ業務ディスプレイ装置１３−１〜１３−３のみを接続し、印影表示装置１４ー１、１４−２は接続ケーブル１０により印影表示制御装置７に接続していた。
【００１１】
この場合、システム導入時に、業務ディスプレイ装置と印影表示装置との対応付けを行い、対応付けされた業務ディスプレイ装置でのみ印影表示装置が使用できるように設定してある。
【００１２】
そして、印鑑照合時には、業務ディスプレイ装置１３−１〜１３−３から印影検索依頼を行うことにより、システム導入時の設定として対応付けられた印影表示装置１４−１、１４−２に印影を表示し、印鑑照合業務を行っていた。
【００１３】
この場合、例えば、業務ディスプレイ装置１３−１から印影検索依頼を行うと、前記印影検索依頼は業務ディスプレイ装置１３−１から業務ワークステーション１２−１を介して金融業務用コントローラ２に送られ、更に金融業務用コントローラ２から印鑑照合用コントローラ６に送られる。
【００１４】
前記印影検索依頼を受けた印鑑照合用コントローラ６は印影データ用ファイル５から該当する印影データを取り出し、印影表示制御装置７に送る。その後、印影表示制御装置７の制御により、予め対応付けられた印影表示装置１４ー１に前記印影データを表示する。
【００１５】
ところで、業務ワークステーション１２−１〜１２−３と印影表示装置１４−１、１４−２との対応付けは、複数の業務ディスプレイ装置に対して１台の印影表示装置の対応付けが可能であるため、高価な印影表示装置の台数を少なくすることができる。
【００１６】
例えば、業務ディスプレイ装置１３−１と印影表示装置１４−１を対応付け、業務ディスプレイ装置１３−２と印影表示装置１４−２を対応付け、業務ディスプレイ装置１３−３には印影表示装置を対応付けないようにすれば、３台の業務ディスプレイ装置１３−１〜１３−３に対して、２台の印影表示装置１４−１、１４−２を設置すれば良いので印影表示装置が１台少なくなりその分コスト削減が可能である。
【００１７】
しかし、前記印影表示装置の対応付けは、システム導入時に設定してあり、印鑑照合時に変更できないため、対応付けされてない印影表示装置を有効利用することが困難であった。すなわち、印影表示装置は、予め対応付けられた業務ディスプレイ装置からしか使用することができないため、対応付けされていない業務ディスプレイ装置からは使用できない。
【００１８】
このため、例えば、２台の業務ディスプレイ装置に対して１台の印影表示装置が対応付けられていた場合、前記業務ディスプレイ装置の内の１台から印影表示装置を使用していた時、他の対応付けられていない印影表示装置が未使用であったとしても、その未使用の印影表示装置を使用することができない。このため、印影表示装置を有効利用できなかった。
【００１９】
【発明が解決しようとする課題】
前記のような従来のものにおいては、次のような課題があった。
(1) ：印影表示装置を各業務ワークステーションを使用するオペレータの手元に配置する場合、印影表示装置と印影表示制御装置との間を接続するための長い接続ケーブルを多数配線する必要がある。このためシステムの設置環境を悪化させていた。
【００２０】
(2) ：各業務ディスプレイ装置を使用しているオペレータからは、印鑑照合時に、既に対応付けられている１台の印影表示装置のみ使用可能であり、印影表示装置が有効利用できない。
【００２１】
例えば、前記のように、２台の業務ディスプレイ装置に対して１台の印影表示装置が対応付けられていた場合、前記業務ディスプレイ装置の内の１台から印影表示装置を使用していた時、他の対応付けられていない印影表示装置が未使用であったとしても、その未使用の印影表示装置を使用することができない。このため、印影表示装置を有効利用できなかった。
【００２２】
(3) ：Ｎ台の業務ディスプレイ装置に対し、１台の印影表示装置が対応付けられた場合（Ｎ対１の対応付けの場合）、既に他のオペレータが印影表示装置を使用していると、同一の印影表示装置に対応付けられている業務ディスプレイ装置からは印影表示が行えないため、以下のような不都合が生じる。
【００２３】
▲１▼：他のオペレータの印鑑照合が終了するのを待つことになるため、顧客を待たせてしまうことになる。
▲２▼：別の業務ディスプレイ装置にて印鑑照合を行うことも考えられるが、この場合、オペレータが離席して別の印影表示装置の対応付けられている業務ディスプレイ装置にて印鑑照合を行うことが必要である。従って、オペレータが離席するので作業効率も悪く、顧客を待たせてしまうこともある。
【００２４】
▲３▼：他のオペレータの印鑑照合を中断することも考えられるが、この場合、他のオペレータの印鑑照合を一旦中断してもらい、印鑑照合を行った後、再度以前のオペレータの印鑑照合を再開する。
【００２５】
しかし、以前のオペレータは、印鑑照合の再開に当たり、印影検索条件等のデータを再度入力しなければならない。従って、作業効率が悪く、印鑑照合に時間がかかる。
【００２６】
(4) ：業務ディスプレイ装置と印影表示装置が１対１に対応付けられている場合、印影表示装置をオペレータ同士が競合することはないが、印影表示装置の台数が業務ディスプレイ装置の台数と同じだけ必要となる。
【００２７】
従って、高価な印影表示装置の導入台数が多くなり、システム導入に要するコストが高くなる。
本発明は、このような従来の課題を解決し、印影表示装置を多数設置した場合でも、接続ケーブルによるシステム設置環境の悪化が起こらないようにすると共に、少ない印影表示装置でも業務が円滑に行えるようにして、システム導入時のコスト削減を可能にすることを目的とする。
【００２８】
また、本発明は、印影表示装置を有効利用できるようにして、印鑑照合処理の作業効率を向上させ、顧客待ち時間を少なくすることを目的とする。
【００２９】
【課題を解決するための手段】
図１は本発明の原理説明図である。本発明は前記の課題を解決するため、端末装置を次のように構成した。
【００３０】
(1) ：図１において、印鑑照合システム３の印鑑照合用コントローラ６をＬＡＮ回線４に直接接続すると共に、複数の端末装置１２−１Ａ、１２−２ＡもＬＡＮ回線４に接続して、各端末装置から直接、印鑑照合用コントローラ６にアクセスできるようにした。
【００３１】
また、端末装置１２−１Ａには業務ディスプレイ装置１３−１と入力装置２８を接続し、端末装置１２−２Ａには、業務ディスプレイ装置１３−２と、印影表示装置１４を接続した。
【００３２】
一方、端末装置１２−１Ａ内には、業務処理部２２、印鑑照合メイン制御部２３、メモリ２６、検索条件処理部２５、連携制御部２４Ａ、業務ディスプレイ印影表示処理部２７等が設けてある。
【００３３】
また、前記端末装置１２−２Ａ内には、印鑑照合メイン制御部２３、メモリ２６、検索条件処理部２５、連携制御部２４Ａ、業務ディスプレイ印影表示処理部２７、印影表示装置印影表示処理部２９等が設けてある。
【００３４】
また、前記端末装置を次のように構成した。
【００３５】
(2) ：印影データ用ファイルと、前記印影データ用ファイルの制御を行う印鑑照合用コントローラを有し、印影データの表示装置を有しない印鑑照合システムと連携して印影表示を行う端末装置において、前記端末装置は通信回線を介して印鑑照合用コントローラに接続され、かつ、各種情報を表示する業務ディスプレイ装置、及び印影データ用ファイルから読み出した印影データを表示する印影データ表示専用の印影表示装置が接続されると共に、印鑑照合を行う際、オペレータのキー操作情報に基づいて、印影表示させる表示装置の選択制御、印影の検索条件入力画面への表示装置選択情報の表示、或いは優先度の最も高い表示装置のディフォルト表示を行う際に参照する情報を含む表示装置制御リストを作成し、印鑑照合メイン制御部を呼び出す業務処理部と、前記表示装置制御リストを受け取り、このリストをメモリに格納し、検索条件処理部を呼び出し、検索条件の表示依頼を行う印鑑照合メイン制御部と、前記検索条件の表示依頼を受け取り、前記メモリの表示装置制御リストを参照し、業務ディスプレイに検索条件入力画面、及び印影データ等の表示を行うための業務ディスプレイ印影表示処理部に表示依頼を通知する検索条件処理部と、前記検索条件処理部への表示依頼の通知を受けて、業務ディスプレイ装置に検索条件入力画面を表示し、この画面からオペレータにより指定された印影の検索条件、及びオペレータが画面に表示された印影表示用の表示装置のリストを参照して、オペレータによって指定された印影表示用の表示装置の指定情報を基に、前記印鑑照合用コントローラに依頼して印影データを獲得し、その印影データを指定された前記業務ディスプレイ装置又は印影表示装置へ表示する印影データ表示制御手段と、印影表示制御を行うための印影管理テーブルに、印鑑照合依頼毎の番号である印影通番、端末装置間の連携パス情報、管理ノード情報、端末装置間の連携ステータス情報、及び検索条件入力画面の識別情報を含む管理情報を書き込んで管理するテーブル管理手段と、印影表示の表示装置が自ノードに指定された場合、前記テーブル管理手段に依頼して管理情報を書き込むと共に、印影データを獲得して自ノードの指定された表示装置に印影表示する自ノード印影表示制御手段と、印影表示の表示装置が他ノードに指定された場合、他ノードとの管理情報の送受信を行い、前記テーブル管理手段に依頼して管理情報を書き込むと共に、他ノードの表示装置で印影表示をさせるための連携制御を行う他ノード連携制御手段と、他ノードで印影データの表示中に、他ノードから自ノードへ表示切り替えする場合、前記連携パス情報を利用して他ノードとの連携制御を行うことにより、他ノードへ印影データのコピーを依頼して印影データを獲得し、指定された自ノードで印影表示する第１の表示切り替え制御手段と、自ノードで印影データの表示中に、自ノードから他ノードへ表示切り替えする場合、前記連携パス情報を利用して他ノードとの連携制御を行うことにより、自ノードの印影データを該当ノードへコピーして表示させる第２の表示切り替え制御手段と、他ノードで印影データの表示中に、他ノードの印影データを別の他ノードへ表示切り替えする場合、前記連携パス情報を利用して��ノードとの連携制御を行うことにより、自ノードを経由して切り替え元から切り替え先のノードへ印影データをコピーして表示させる第３の表示切り替え制御手段を備えている。
【００３６】
(3) ：前記(2) において、印鑑照合を行う際、印影表示させる表示装置の選択制御を行うための表示優先度を含む表示装置制御リストを作成するリスト作成手段と、前記表示装置制御リストを基に、印影の検索条件入力画面に表示装置選択情報を表示させる画面表示手段を備えている。
【００３７】
(4) ：前記(2) において、印影の検索条件入力画面を表示させる際、内部に保持されている表示装置制御用の表示装置制御リストを参照し、優先度の最も高い表示装置をディフォルト表示する画面表示手段を備えている。
【００３８】
(5) ：前記(2) において、印影表示させる表示装置の指定が他の端末装置に接続された表示装置の場合、他の端末装置と連携して前記獲得した印影データを他の端末装置側で表示させるための印影データ連携制御手段を備えている。
【００３９】
(6) ：前記(2) において、自業務ディスプレイ装置で印影表示中に表示切り替え指示が出された場合、内部に保持している表示装置制御用の表示装置制御リストを参照し、前記表示装置制御リスト中の最も優先度の高い印影表示装置へ印影表示を行い、現在表示している業務ディスプレイ装置の印影を消去する第１の印影表示切り替え手段と、自印影表示装置で印影表示中に表示切り替え指示が出された場合、自業務ディスプレイ装置へ印影表示し、現在表示している自印影表示装置の印影を消去する第２の印影表示切り替え手段を備えている。
【００４３】
【作用】
前記構成に基づく本発明の作用を、図１に基づいて説明する。
Ａ）：印鑑照合時に印影表示するまでの処理は次の通りである。端末装置１２−１Ａのオペレータが印鑑照合を行うために、キー操作等のオペレーションを行うと、その情報は業務処理部２２に通知される。前記通知を受けた業務処理部２２は表示装置制御リストを作成し、印鑑照合メイン制御部２３を呼び出す（▲１▼の処理）。
【００４４】
この時、前記表示装置制御リストを印鑑照合メイン制御部２３へ送り、印鑑照合メイン制御部２３が前記表示装置制御リストをメモリ２６に格納しておく。
次に、印鑑照合メイン制御部２３は、検索条件処理部２５を呼び出し（▲２▼の処理）、検索条件の表示依頼を行う。この表示依頼により、検索条件処理部２５は、メモリ２６の表示装置制御リストを参照し、前記リストの情報を基に、業務ディスプレイ印影表示処理部２７に表示依頼を通知する。この通知を受けた業務ディスプレイ印影表示処理部２７は業務ディスプレイ装置１３−１に、検索条件入力画面を表示する（▲３▼の処理）。
【００４５】
その際、表示装置制御リストの情報が画面表示され、オペレータはこの画面にて印影の検索条件、及び表示装置を指定する。オペレータによる検索条件の入力、及び表示装置の指定が完了すると、前記入力情報は検索条件処理部２５へ通知され、検索条件処理部２５より、印鑑照合メイン制御部２３へ通知される（▲４▼の処理）。
【００４６】
そして、印鑑照合メイン制御部２３は、前記通知によりどの表示装置へ印影を表示するかを判断する。この場合、例えば、オペレータが業務ディスプレイ装置１３−１を表示装置に指定した場合、(1) のルートに従って、検索条件に該当する印影を印鑑照合用コントローラ６から獲得し指定画面へ表示する。
【００４７】
また、端末装置１２−２Ａの印影表示装置１４を指定した場合は、端末装置１２−１Ａ、１２−２Ａの各連携制御部２４Ａと連携制御を行うことにより、端末装置１２−２Ａの印鑑照合メイン制御部２３と連携し、(2) のルートに従って、印影表示を行う。
【００４８】
Ｂ）：自端末装置で表示中の印影を他端末装置へ切り替える場合の処理は次の通りである。
例えば、端末装置１２−１Ａの業務ディスプレイ装置１３−１で印影表示中に入力装置２８により印影表示の切り替え操作が行われると、この切り替え情報を印鑑照合メイン制御部２３に通知する。
【００４９】
印鑑照合メイン制御部２３は、メモリ２６内の表示装置制御リストを参照し、切り替え先表示装置を判断した後、連携制御部２４Ａに依頼して連携制御を行うことにより、端末装置１２−２Ａの印鑑照合メイン制御部２３へ印影データを送り、前記印鑑照合メイン制御部２３が受信した印影をメモリ２６に格納する。
【００５０】
この処理により、端末装置１２−１Ａの印影を端末装置１２−２Ａのメモリ２６にコピーする。その後、端末装置１２−２Ａの印鑑照合メイン制御部２３は、該当する表示装置へ印影を表示し、その結果を端末装置１２−１Ａの印鑑照合メイン制御部２３へ通知する。端末装置１２−１Ａの印鑑照合メイン制御部２３は、端末装置１２−１Ａの該当する表示装置印影画面、及び印影データを消去する。
【００５１】
Ｃ）：他端末装置で表示中の印影を自端末装置へ切り替える場合の処理は次の通りである。
例えば、端末装置１２−２Ａの印影表示装置１４で印影表示中に、端末装置１２−１Ａの入力装置２８で印影データの表示切り替えの操作が行われた場合、前記切り替え操作の情報が端末装置１２−１Ａの印鑑照合メイン制御部２３へ通知される。
【００５２】
前記印鑑照合メイン制御部２３は、メモリ２６内の表示装置制御リストを参照し、切り替え先表示装置を判断した後、連携制御部２４Ａに依頼して連携制御を行うことにより、端末装置１２−２Ａの印鑑照合メイン制御部２３と連携し、端末装置１２−１Ａのメモリ２６へ印影データをコピーする。
【００５３】
端末装置１２−１Ａの印鑑照合メイン制御部２３は、該当する表示装置へ印影データを表示し、その結果を端末装置１２−２Ａの印鑑照合メイン制御部２３へ通知する。
【００５４】
端末装置１２−２Ａの印鑑照合メイン制御部２３は、表示中の印影画面、及び印影データを消去する。また、端末装置１２−２Ａの入力装置２８で切り替え操作が行われた場合、端末装置１２−２Ａの印鑑照合メイン制御部２３は、端末装置１２−１Ａの印鑑照合メイン制御部２３に切り替え依頼を通知し、表示切り替えが行われる。
【００５５】
Ｄ）：他端末装置で表示中の印影を、別の他端末装置へ切り替える場合の処理は次の通りである。
この場合、他端末装置の表示中の印影データを自端末装置へコピーし、切り替え先の端末装置に印影データをコピーし、表示装置に表示させる。その後、切り替え元の端末装置の印影画面、及び印影データを消去することにより表示切り替えを行う。
【００５６】
Ｅ）：以上のようにして、印影表示装置を多数設置した場合でも、接続ケーブルによるシステム設置環境の悪化が起こらないようにすることができる。また、表示切り替え等が自由にできるので、少ない台数の印影表示装置でも業務が円滑に行える。このため、システム導入時のコスト削減を可能にできる。
【００５７】
更に、印影表示装置を有効利用できるようにして、印鑑照合処理の作業効率を向上させることができるので、顧客待ち時間を少なくすることができる。
【００５８】
【実施例】
以下、本発明の実施例を図面に基づいて説明する。
図２〜図１９は、本発明の実施例を示した図であり、図２〜図１９中、図２０と同じものは、同一符号で示してある。また、１４は印影表示装置、１９は印影データ読出部、２１はコントローラ通信制御部、２２は業務処理部、２３は印鑑照合メイン制御部、２４はワークステーション連携制御部、２５は検索条件処理部、２６はメモリ、２７は業務ディスプレイ印影表示処理部、２８は入力装置、２９は印影表示装置印影表示処理部、３０は入力制御部を示す。
【００５９】
§１：実施例の概要説明
本実施例では、前記従来のシステムにおいて、印鑑照合システム３の印影表示制御装置７を廃止し、印鑑照合用コントローラ６をＬＡＮ回線４に直接接続した。また、各業務ワークステーションに、業務ディスプレイ装置と、印鑑照合システム３の印影表示装置を直接接続した。
【００６０】
なお、印影表示装置は高価な装置であり、全ての業務ワークステーションに印影表示装置を接続しなくても業務には支障がないため、印影表示装置を接続しない業務ワークステーションも存在する。
【００６１】
このようなシステム構成とすることにより、各業務ワークステーションから直接印鑑照合システム３の印鑑照合用コントローラ６にアクセス可能とし、かつ、各業務ワークステーションから印影表示装置の表示制御ができるようにして印鑑照合等の業務が効率的に、かつ円滑に行えるようにした。以下、詳細に説明する。
【００６２】
§２：システム構成の説明・・・図２参照
図２は実施例のシステム構成図である。図示のように、印鑑照合システムの印鑑照合用コントローラ６をＬＡＮ回線４に直接接続すると共に、複数の業務ワークステーション１２−１、１２−２も前記ＬＡＮ回線４に接続して、各業務ワークステーション１２−１、１２−２等から直接、印鑑照合用コントローラ６にアクセスできるようにした。
【００６３】
また、業務ワークステーション１２−１には業務ディスプレイ装置１３−１と入力装置２８を接続し、業務ワークステーション１２−２には、業務ディスプレイ装置１３−２と、印影表示装置１４を接続した。なお、業務ワークステーション１２−２にも入力装置が接続されているが、図示省略してある。
【００６４】
更に、前記印鑑照合用コントローラ６には、印影データを格納しておく印影データ用ファイル５を接続すると共に、内部には前記印影データ用ファイル５から印影データを読み出すための印影データ読出部１９を設けた。
【００６５】
一方、各業務ワークステーション１２−１内には、コントローラ通信制御部２１、業務処理部２２、印鑑照合メイン制御部２３、メモリ２６、検索条件処理部２５、ワークステーション連携制御部２４、入力制御部３０、業務ディスプレイ印影表示処理部２７等が設けてある。
【００６６】
また、前記業務ワークステーション１２−２内には、コントローラ通信制御部２１、印鑑照合メイン制御部２３、メモリ２６、検索条件処理部２５、ワークステーション連携制御部２４、業務ディスプレイ印影表示処理部２７、印影表示装置印影表示処理部２９等が設けてある。なお、業務ワークステーション１２−２にも、入力制御部３０が設けてあるが図示省略してある。前記各部の機能等は次の通りである。
【００６７】
(1) ：印鑑照合用コントローラ６は、印鑑照合システムを構成するコントローラであり、印影データ用ファイル５にアクセスして、印影データの書き込み、読み出し等の制御を行うものである。
【００６８】
(2) ：印影データ読出部１９は、印鑑照合用コントローラ６に設けてあり、外部からの依頼により印影データ用ファイル５をアクセスし、必要な印影データを読み出す処理を行うものである。
【００６９】
(3) ：業務ワークステーション１２−１、１２−２は、ＬＡＮ回線４に接続されており、通常の金融業務を行うと共に、印鑑照合時の表示処理等も行う端末装置である。なお、前記ＬＡＮ回線４には複数の業務ワークステーションが接続されている。
【００７０】
(4) ：業務ディスプレイ装置１３−１、１３−２は、各業務ワークステーション１２−１、１２−２に接続され、通常の金融業務上のデータ表示、及び印鑑照合時の検索条件入力画面、印影データ等を表示するものである。
【００７１】
(5) ：入力装置２８は、業務ワークステーションに接続され、各種データを入力するものである。なお、この入力装置２８は、キーボード等で構成されている。
【００７２】
(6) ：印影表示装置１４は、印影データ専用の表示装置である。
(7) ：コントローラ通信制御部２１は、ＬＡＮ回線４を介して印鑑照合用コントローラ６と通信するものである。
【００７３】
(8) ：業務処理部２２は、金融機関の通常の金融業務、及び印鑑照合時の各種制御を行うものである。また、業務処理部２２には、表示装置制御リスト作成／更新処理部が設けてあり、入力装置２８からの指示により、表示装置制御リストを作成したり更新したりする。
【００７４】
(9) ：印鑑照合メイン制御部２３は、印鑑照合時の各種制御を行うものである。
(10)：メモリ２６は、印鑑照合メイン制御部２３、検索条件処理部２５、ワークステーション連携制御部２４等がアクセスするメモリであり、各種データを格納するものである。
【００７５】
(11)：検索条件処理部２５は、印鑑照合時に印影データの検索条件の処理を行うものである。
(12)：ワークステーション連携制御部２４は、他の業務ワークステーションとの連携制御を行うものである。
【００７６】
(13)：入力制御部３０は、入力装置２８から入力した情報の制御を行うものである。
(14)：業務ディスプレイ印影表示処理部２７は、業務ディスプレイ装置１３−１、１３−２への表示処理を行うものである。
【００７７】
(15)：印影表示装置印影表示処理部２９は、印影表示装置１４への表示処理を行うものである。
§３：通常業務から印影表示までの処理説明・・・図３参照
図３は実施例の処理説明図１（印影表示時の表示装置選択処理）である。以下、図３に基づいて通常業務から印影表示までの処理を説明する。
【００７８】
以下の説明では、業務ワークステーション１２−１に業務ディスプレイ装置１３−１が接続されており、業務ワークステーション１２−２に業務ディスプレイ装置１３−２と印影表示装置１４が接続されているものとする。
【００７９】
そして、印影表示を行うための操作は、業務ワークステーション１２−１の入力装置２８から行うものとする。この場合、業務ワークステーション１２−１を自業務ワークステーション、業務ワークステーション１２−２を他業務ワークステーションとするが、他業務ワークステーションは、業務ワークステーション１２−１以外の全ての業務ワークステーションに適用可能である。
【００８０】
先ず、業務ワークステーション１２−１のオペレータが印鑑照合を行うために、入力装置２８からキー操作等のオペレーションを行うと、その情報は入力装置２８より入力制御部３０を介して業務処理部２２に通知される。
【００８１】
前記通知を受けた業務処理部２２は、業務ワークステーション１２−１のオペレータが表示装置を指定できる情報を含めて表示装置制御リスト（後述する）を作成し、印鑑照合メイン制御部２３を呼び出す（▲１▼の処理）。この時、前記作成した表示装置制御リストを印鑑照合メイン制御部２３へ送り、印鑑照合メイン制御部２３が前記表示装置制御リストをメモリ２６に格納しておく。
【００８２】
次に、印鑑照合メイン制御部２３は、検索条件処理部２５を呼び出し（▲２▼の処理）、検索条件の表示依頼を行う。この表示依頼により、検索条件処理部２５は、メモリ２６の表示装置制御リストを参照し、前記リストの情報を基に、業務ディスプレイ印影表示処理部２７に表示依頼を通知する。この通知を受けた業務ディスプレイ印影表示処理部２７は業務ディスプレイ装置１３−１に、検索条件入力画面を表示する（▲３▼の処理）。
【００８３】
その際に、表示装置制御リストの情報が画面表示され、オペレータはこの画面にて印影の検索条件、及び印影表示用の表示装置を指定する。オペレータによる検索条件の入力、及び表示装置の指定が完了すると、前記入力情報は入力制御部３０から検索条件処理部２５へ通知され、検索条件処理部２５より、印鑑照合メイン制御部２３へ入力条件が通知される（▲４▼の処理）。
【００８４】
そして、印鑑照合メイン制御部２３は、前記通知により、どの表示装置へ印影を表示するかを判断する。この場合、例えば、オペレータが業務ディスプレイ装置１３−１を表示装置に指定した場合、(1) のルートに従って、検索条件に該当する印影を印鑑照合用コントローラ６から獲得し、指定画面へ表示する。
【００８５】
この場合、印鑑照合メイン制御部２３からコントローラ通信制御部２１へ印影データの検索依頼を送る。この検索依頼は、コントローラ通信制御部２１から印影データ読出部１９へ送り、印影データ読出部１９が印影データ用ファイル５を検索して依頼された印影データを読み出す。その後、読み出した印影データは、印影データ読出部１９からコントローラ通信制御部２１を介して印鑑照合メイン制御部２３へ送られる。
【００８６】
また、印影データ表示用の表示装置として、業務ワークステーション１２−２の印影表示装置１４を指定した場合は、業務ワークステーション１２−２の印鑑照合メイン制御部２３と連携し、図示(2) のルートに従って、印影表示を行う。
【００８７】
この場合、業務ワークステーション１２−１の印鑑照合メイン制御部２３→業務ワークステーション１２−１のワークステーション連携制御部２４→業務ワークステーション１２−２のワークステーション連携制御部２４→業務ワークステーション１２−２の印鑑照合メイン制御部２３へと印影データの表示依頼が送られる。
【００８８】
そして、業務ワークステーション１２−２の印鑑照合メイン制御部２３が、業務ワークステーション１２−２のコントローラ通信制御部２１を介して印影データ読出部１９へアクセスし、前記と同様にして印影データを獲得し、一旦印影データをメモリ２６に格納する。
【００８９】
その後、業務ワークステーション１２−２の印鑑照合メイン制御部２３は、印影データを業務ワークステーション１２−２の印影表示装置印影表示処理部２９へ送り表示を依頼する。この表示依頼を受けた業務ワークステーション１２−２の印影表示装置印影表示処理部２９は、印影表示装置１４に印影データを表示する。
【００９０】
なお、他業務ワークステーションに印影表示している状態でのオペレータの入力操作は、表示先の入力装置、及び表示依頼元の業務ワークステーションの入力装置の双方とも有効になる。
【００９１】
以上のように、オペレータが業務ディスプレイ装置１３−１に表示された検索条件入力画面で検索条件を入力すると共に、印影表示したい表示装置を指定し、その指定情報を入力装置２８から入力すれば、その指定情報に従って表示装置を自動的に選択し、印影データを獲得して印影表示を行うことができる。
【００９２】
この場合、印影表示したい表示装置の指定を自業務ワークステーション１２−１に接続された業務ディスプレイ装置１３−１に指定すれば、業務ディスプレイ装置１３−１で印影表示を行う。また、印影表示したい表示装置の指定を他業務ワークステーション１２−２に接続された印影表示装置１４に指定すれば、印影表示装置１４で印影表示を行う。
【００９３】
このように、オペレータの指定情報に従って印影表示を行う表示装置を自動的に切り替え、印影データを表示することができる。従って、オペレータは空いている表示装置を任意に選択して印影表示することができるから、任意の表示装置を使用して印鑑照合（印影照合）処理を行うことが可能になる。
【００９４】
§４：通常業務から印影表示までの処理における自業務ワークステーション内印鑑照合メイン制御部の処理説明・・・図３、図４参照
図４は自業務ワークステーション内印鑑照合メイン制御部の処理フローチャート１である。以下、図３を参照しながら図４に基づき、通常業務から印影表示までの処理における自業務ワークステーション内印鑑照合メイン制御部の処理を説明する。なお、Ｓ１〜Ｓ９は各処理ステップを示す。
【００９５】
この処理は、前記通常業務から印影表示までの処理の内、業務ワークステーション１２−１内の印鑑照合メイン制御部２３が行う処理である。先ず、業務ワークステーション１２−１内において、印鑑照合メイン制御部２３は、業務処理部２２により起動されると処理を開始し、業務処理部２２から送られた表示装置制御リストを受信し（Ｓ１）、該表示装置制御リストをメモリ２６に格納する（Ｓ２）。
【００９６】
次に、印鑑照合メイン制御部２３は、検索条件処理部２５を呼び出し、印影データの検索条件入力画面の表示依頼を行う（Ｓ３）。この表示依頼により、業務ディスプレイ装置１３−１に検索条件入力画面が表示される。その後、印鑑照合メイン制御部２３はオペレータが入力した入力情報の受信を待ち、前記入力情報を受信すると（Ｓ４）、前記オペレータの入力情報より指定された表示装置を判断する（Ｓ５）。
【００９７】
その結果、前記オペレータの指定した表示装置が自業務ワークステーション１２−１の表示装置（この例では、業務ディスプレイ装置１３−１）であれば（Ｓ６）、印鑑照合メイン制御部２３は、印鑑照合用コントローラ６にアクセスして印影データを獲得しメモリ２６に格納する（Ｓ７）。そして、印鑑照合メイン制御部２３は、業務ディスプレイ印影表示処理部２７に対し、前記獲得した印影データの表示依頼を行う（Ｓ８）。
【００９８】
一方、前記Ｓ６の処理において、前記オペレータの指定した表示装置が他業務ワークステーション１２−２の表示装置（印影表示装置１４、または業務ディスプレイ装置１３−２）であれば、印鑑照合メイン制御部２３は、他業務ワークステーション１２−２に対し印影データの表示依頼を行う（Ｓ９）。
【００９９】
この場合、印鑑照合メイン制御部２３は、ワークステーション連携制御部２４に依頼して他業務ワークステーション１２−２との連携制御を行うことで前記表示依頼を行う。
【０１００】
§５：通常業務から印影表示までの処理における他業務ワークステーション内印鑑照合メイン制御部の処理説明・・・図３、図５参照
図５は他業務ワークステーション内印鑑照合メイン制御部の処理フローチャート１である。以下、図３を参照しながら図５に基づき、通常業務から印影表示までの処理における他業務ワークステーション内印鑑照合メイン制御部の処理を説明する。なお、Ｓ１１〜Ｓ１３は各処理ステップを示す。
【０１０１】
この処理は、前記通常業務から印影表示までの処理の内、業務ワークステーション１２−２内の印鑑照合メイン制御部２３が行う処理である。業務ワークステーション１２−２内において、印鑑照合メイン制御部２３は、ワークステーション連携制御部２４により起動されると処理を開始する。そして、ワークステーション連携制御部２４を介して業務ワークステーション１２−１の印鑑照合メイン制御部２３からの印影データの表示依頼を受信する（Ｓ１１）。
【０１０２】
次に、印鑑照合メイン制御部２３は、印鑑照合用コントローラ６にアクセスして印影データを獲得しメモリ２６に格納する（Ｓ１２）。そして、印鑑照合メイン制御部２３は、前記獲得した印影データの表示依頼を行う（Ｓ１３）。この場合、表示装置の指定が印影表示装置１４ならば印影表示装置印影表示処理部２９に表示依頼を行うが、表示装置の指定が業務ディスプレイ装置１３−２ならば業務ディスプレイ印影表示処理部２７に表示依頼を行う。
【０１０３】
§６：表示装置制御リスト、及び表示装置選択処理の説明・・・図３、図６参照
図６は表示装置制御リストの説明図である。前記業務処理部２２には表示装置制御リスト作成／更新処理部が設けてあり、入力装置２８からの指示により表示装置制御リストを作成したり更新したりする。この表示装置制御リストは各表示装置とその選択優先度（優先度）、及び接続するワークステーション情報等を対応付けたリストであり、入力装置２８からの指示により業務処理部２２が作成した後、メモリ２６に格納しておくものである。
【０１０４】
例えば、図示の例では、前記表示装置制御リストに、優先度、表示装置、ワークステーション情報の各項目が設けてある。この場合、例えば、印影表示装置１は優先度１（最優先）であり、ワークステーション情報はワークステーション１（業務ワークステーション１２−１）となっている。
【０１０５】
また、印影表示装置２は優先度２（２番目の優先度）であり、ワークステーション情報はワークステーション２（業務ワークステーション１２−２）となっている。以下、各優先度順に表示装置とワークステーション情報が格納されている。なお、表示装置としては、業務ディスプレイ装置も印影データの表示用に指定できる。
【０１０６】
前記のように、印鑑照合時に検索条件処理部２５が検索条件入力画面を表示する際に、メモリ２６に格納してある表示装置制御リストを参照し、優先度の最も高い表示装置をディフォルト表示し、オペレータ入力により表示装置をダイレクトに選択させる。この場合、運用上の誤操作を避けるため、オペレータ入力による表示装置の選択を行えないモードもサポートし、その場合は検索条件入力時に優先度の最も高い表示装置が選択される。
【０１０７】
なお、表示装置が他のオペレータにより使用されている場合、検索条件入力画面上にエラー表示を行い印影表示処理を中断する。この時オペレータは、再度検索条件入力画面より表示装置を選択することができる。
【０１０８】
また、エラー表示の後に切り替え操作を行うとエラーとなって表示装置の次の優先度が指定されている表示装置へ印影表示を行う。前記切り替え操作時に次の優先度の表示装置が存在しない場合、若しくは、表示装置制御リストに存在しない表示装置の指定でエラー表示されている場合は、優先度の最も高い表示装置へ印影表示を行う。
【０１０９】
§７：表示装置制御リストと、印影表示中の表示装置切り替え処理の説明・・・図３、図６参照
入力装置２８でのオペレータの切り替え操作により、表示中の印影を他の表示装置へ切り替える場合、運用上次の２つのモードがある。
【０１１０】
(1) ：自業務ディスプレイ装置と、各印影表示装置の切り替えモード
このモードは、印影が自業務ディスプレイ装置に表示されている場合、表示装置制御リスト中の優先度の最も高い印影表示装置へ印影表示を行い、現在表示している表示装置の印影を消去する。
【０１１１】
この時、切り替え先の表示装置が他のオペレータにより使用されている場合、切り替え操作を行った画面上にエラー表示を行い、切り替え処理を中断する。再度、切り替え操作を行うと、エラー表示した表示装置の次の優先度が指定されている印影表示装置へ表示を行う。
【０１１２】
なお、切り替え操作時に、次の優先度の印影表示装置が存在しない場合は、優先度の最も高い印影表示装置に表示を行う。また、表示装置制御リスト中に印影表示装置が存在しない場合は、表示切り替えをしない。なお、印影が印影表示装置に表示されている場合、自業務ディスプレイ装置へ印影表示を行い、現在表示している表示装置の印影を消去する。
【０１１３】
(2) ：表示装置制御リスト順の切り替えモード
印影表示中にオペレータによる切り替え操作が行われると、表示装置制御リスト中の業務ディスプレイ装置を含む最も優先度の高い表示装置へ印影表示を行い、現在表示している表示装置の印影を消去する。
【０１１４】
この時、切り替え先の表示装置が他のオペレータにより使用されている場合、切り替え操作を行った画面上にエラー表示を行い、切り替え処理を中断する。再度切り替え操作を行うと、エラー表示した表示装置の次の優先度が指定されている表示装置へ表示を行う。なお、切り替え操作時に次の優先度の印影表示装置が存在しない場合は、優先度の最も高い表示装置に表示を行う。
【０１１５】
§８：自業務ワークステーションで表示中の印影を他業務ワークステーションへ切り替える場合の処理説明・・・図７参照
図７は実施例の処理説明図２（自業務ワークステーション→他業務ワークステーション切り替え）である。以下、図７に基づいて、自業務ワークステーションで表示中の印影を他業務ワークステーションへ切り替える場合の処理を説明する。
【０１１６】
以下の説明では、業務ワークステーション１２−１に業務ディスプレイ装置１３−１が接続されており、業務ワークステーション１２−２に業務ディスプレイ装置１３−２と印影表示装置１４が接続されているものとする。
【０１１７】
そして、印影表示（表示切り替えを含む）を行うための操作は、業務ワークステーション１２−１の入力装置２８から行うものとする。この場合、業務ワークステーション１２−１を自業務ワークステーション、業務ワークステーション１２−２を他業務ワークステーションとするが、他業務ワークステーションは、業務ワークステーション１２−１以外の全ての業務ワークステーションに適用可能である。
【０１１８】
先ず、入力装置２８により切り替え操作が行われると（▲１▼の処理）、この切り替え情報を入力制御部３０が検出し印鑑照合メイン制御部２３に通知する。印鑑照合メイン制御部２３は、メモリ２６内の表示装置制御リストを参照し、切り替え先表示装置を判断（▲２▼の処理）する。
【０１１９】
その後、業務ワークステーション１２−１、１２−２のワークステーション連携制御部２４の連携制御により、業務ワークステーション１２−１の印鑑照合メイン制御部２３から、業務ワークステーション１２−２の印鑑照合メイン制御部２３へ印影データを送り、前記印鑑照合メイン制御部２３が受信した印影データをメモリ２６に格納する。
【０１２０】
この処理により業務ワークステーション１２−１の印影を業務ワークステーション１２−２のメモリ２６にコピーする（▲３▼の処理）。その後、業務ワークステーション１２−２の印鑑照合メイン制御部２３は、該当する表示装置へ印影を表示し、その結果を業務ワークステーション１２−１の印鑑照合メイン制御部２３へ通知する（▲４▼〜▲６▼の処理）。
【０１２１】
この場合、切り替え先表示装置が印影表示装置１４であれば、業務ワークステーション１２−２の印鑑照合メイン制御部２３は、メモリ２６の印影データを読み出して印影表示装置印影表示処理部２９へ送り表示依頼を行う。この表示依頼を受けた印影表示装置印影表示処理部２９は印影表示装置１４に印影データを表示する。
【０１２２】
その後、印影表示装置印影表示処理部２９は、印影表示したことを印鑑照合メイン制御部２３へ通知する。この通知を受けた印鑑照合メイン制御部２３は、ワークステーション連携制御部２４を介して業務ワークステーション１２−１の印鑑照合メイン制御部２３に印影表示を通知する。
【０１２３】
前記通知を受けた業務ワークステーション１２−１の印鑑照合メイン制御部２３は、自業務ワークステーション１２−１の該当する表示装置の印影画面、及び印影データを消去する（▲７▼、▲８▼の処理）。
【０１２４】
この場合、印鑑照合メイン制御部２３は業務ディスプレイ印影表示処理部２７に印影消去依頼を出し、業務ディスプレイ印影表示処理部２７が業務ディスプレイ装置１３−１の印影データを消去する。
【０１２５】
以上のように、オペレータが入力装置２８で印影表示の切り替え操作を行うと、自業務ワークステーションに接続された表示装置で表示中の印影を、他業務ワークステーションに接続された表示装置へ自動的に切り替えることができる。
【０１２６】
従って、印影データの表示先を変更しても、自動的に切り替え先の表示装置において印影データの表示を行うことができるから、切り替え先の表示装置を使用して印鑑照合（印影照合）処理を行うことが可能になる。
【０１２７】
§９：自業務ワークステーションで表示中の印影を他業務ワークステーションへ切り替える場合の自業務ワークステーション内印鑑照合メイン制御部の処理説明・・・図７、図８参照
図８は自業務ワークステーション内印鑑照合メイン制御部の処理フローチャート２である。以下、図７を参照しながら図８に基づき、自業務ワークステーションで表示中の印影を他業務ワークステーションへ切り替える場合の自業務ワークステーション内印鑑照合メイン制御部の処理を説明する。なお、Ｓ２１〜Ｓ２６は各処理ステップを示す。
【０１２８】
業務ワークステーション１２−１内において、業務ディスプレイ装置１３−１で印影データを表示している状態で、印鑑照合メイン制御部２３がオペレータの入力した表示切り替え情報を受信すると（Ｓ２１）、印鑑照合メイン制御部２３は、受信した表示切り替え情報を基にメモリ２６内の表示装置制御リストを参照して、切り替え先表示装置を判断する（Ｓ２２）。
【０１２９】
なお、この例では、表示切り替え先は業務ワークステーション１２−２に接続された表示装置（印影表示装置１４、または業務ディスプレイ装置１３−２）とする。
【０１３０】
印鑑照合メイン制御部２３は、表示切り替え先が業務ワークステーション１２−２に接続された表示装置であると判断すると、切り替え先表示装置のある業務ワークステーション１２−２との連携制御を、ワークステーション連携制御部２４に依頼し、ワークステーション連携制御部２４を介して他業務ワークステーション（この場合、業務ワークステーション１２−２）に対し、表示切り替え依頼を行う（Ｓ２３）。
【０１３１】
そして、印鑑照合メイン制御部２３は、メモリ２６から印影データを読み出し、この印影データを、ワークステーション連携制御部２４を介して切り替え先表示装置のある業務ワークステーション１２−２へ送る（Ｓ２４）。
【０１３２】
その後、印鑑照合メイン制御部２３は、業務ワークステーション１２−２からの印影表示通知（業務ワークステーション１２−２側で印影表示したことを示す通知）を受信すると（Ｓ２５）、切り替え元表示装置での印影データの表示消去を依頼する（Ｓ２６）。この場合、切り替え元表示装置は業務ディスプレイ装置１３−１なので、業務ディスプレイ印影表示処理部２７に対して表示消去依頼を行う。
【０１３３】
§１０：自業務ワークステーションで表示中の印影を他業務ワークステーションへ切り替える場合の他業務ワークステーション内印鑑照合メイン制御部の処理説明・・・図７、図９参照
図９は他業務ワークステーション内印鑑照合メイン制御部の処理フローチャート２である。以下、図７を参照しながら図９に基づき、自業務ワークステーションで表示中の印影を他業務ワークステーションへ切り替える場合の他業務ワークステーション内印鑑照合メイン制御部の処理を説明する。なお、Ｓ３１〜Ｓ３５は各処理ステップを示す。
【０１３４】
業務ディスプレイ装置１３−２内において、印鑑照合メイン制御部２３は、ワークステーション連携制御部２４により起動されると処理を開始し、ワークステーション連携制御部２４を介して業務ワークステーション１２−１からの印影データの表示切り替え依頼を受信する（Ｓ３１）。そして、印鑑照合メイン制御部２３は、業務ワークステーション１２−１からの印影データを受信しメモリ２６に格納する（Ｓ３２）。
【０１３５】
次に、印鑑照合メイン制御部２３は、受信した印影データを指定された表示装置（切り替え先の表示装置）で表示させるための表示依頼を行う（Ｓ３３）。この場合、例えば、切り替え先に指定された表示装置が印影表示装置１４ならば、印鑑照合メイン制御部２３は印影表示装置印影表示処理部２９に対して印影データの表示依頼を行う。
【０１３６】
その後、印鑑照合メイン制御部２３は、印影表示装置印影表示処理部２９からの情報に基づき、切り替え先表示装置である印影表示装置１４で印影データが表示されたことを確認すると（Ｓ３４）、ワークステーション連携制御部２４を介して切り替え元表示装置のある業務ワークステーション１２−１に対して、印影表示通知を行う（Ｓ３５）。
【０１３７】
§１１：他業務ワークステーションで表示中の印影を自業務ワークステーションへ切り替える場合の処理説明・・・図１０参照
図１０は実施例の処理説明図３（他業務ワークステーション→自業務ワークステーション切り替え）である。以下、図１０に基づいて他業務ワークステーションで表示中の印影を自業務ワークステーションへ切り替える場合の処理を説明する。
【０１３８】
以下の説明では、業務ワークステーション１２−１に業務ディスプレイ装置１３−１が接続されており、業務ワークステーション１２−２に業務ディスプレイ装置１３−２と印影表示装置１４が接続されているものとする。そして、業務ワークステーション１２−２の印影表示装置１４で印影表示しているものとする。
【０１３９】
また、印影表示（表示切り替えも含む）を行うための操作は、業務ワークステーション１２−１の入力装置２８から行うものとする。この場合、業務ワークステーション１２−１を自業務ワークステーション、業務ワークステーション１２−２を他業務ワークステーションとするが、他業務ワークステーションは、業務ワークステーション１２−１以外の全ての業務ワークステーションに適用可能である。
【０１４０】
業務ワークステーション１２−２の印影表示装置１４で印影表示している状態において、業務ワークステーション１２−１の入力装置２８で切り替え操作が行われた場合（▲１▼の処理）、入力制御部３０により前記切り替え操作の情報が検出され、印鑑照合メイン制御部２３へ通知される。
【０１４１】
印鑑照合メイン制御部２３は、メモリ２６内の表示装置制御リストを参照し、切り替え先表示装置を判断（▲２▼の処理）した後、ワークステーション連携制御部２４の連携制御により、業務ワークステーション１２−２の印鑑照合メイン制御部２３と連携し、自業務ワークステーション１２−１のメモリ２６に印影データをコピーする（▲３▼、▲４▼の処理）。
【０１４２】
この場合、業務ワークステーション１２−２のメモリ２６に現在表示中の印影データが格納されているので、業務ワークステーション１２−２の印鑑照合メイン制御部２３は、前記メモリ２６の印影データを読み出して業務ワークステーション１２−１の印鑑照合メイン制御部２３へ送る。その後、業務ワークステーション１２−１の印鑑照合メイン制御部２３が受け取った印影データをメモリ２６に格納する。
【０１４３】
その後、業務ワークステーション１２−１の印鑑照合メイン制御部２３は、該当する表示装置へ印影データを表示し、その結果を業務ワークステーション１２−２の印鑑照合メイン制御部２３へ通知する（▲５▼、▲６▼、▲７▼の処理）。
【０１４４】
業務ワークステーション１２−２の印鑑照合メイン制御部２３は、印影表示装置印影表示処理部２９に依頼して、印影表示装置１４に表示中の印影画面、及び印影データを消去する（▲８▼、▲９▼の処理）。
【０１４５】
また、業務ワークステーション１２−２の入力装置２８で切り替え操作が行われた場合（▲１▼−１の処理）、業務ワークステーション１２−２の印鑑照合メイン制御部２３は、業務ワークステーション１２−１の印鑑照合メイン制御部２３に切り替え依頼を通知し、以下、前記▲２▼〜▲９▼の処理に従い、表示切り替えが行われる。
【０１４６】
以上のように、オペレータが入力装置２８で印影表示の切り替え操作を行うと、他業務ワークステーションに接続された表示装置で表示中の印影を、自業務ワークステーションに接続された表示装置へ自動的に切り替えることができる。
【０１４７】
従って、印影データの表示先を変更しても、自動的に切り替え先の表示装置において印影データの表示を行うことができるから、切り替え先の表示装置を使用して印鑑照合（印影照合）処理を行うことが可能になる。
【０１４８】
§１２：他業務ワークステーションで表示中の印影を自業務ワークステーションへ切り替える場合の自業務ワークステーション内印鑑照合メイン制御部の処理説明・・・図１０、図１１参照
図１１は自業務ワークステーション内印鑑照合メイン制御部の処理フローチャート３である。以下、図１０を参照しながら図１１に基づき、他業務ワークステーションで表示中の印影を自業務ワークステーションへ切り替える場合の自業務ワークステーション内印鑑照合メイン制御部の処理を説明する。なお、Ｓ４１〜Ｓ４８は各処理ステップを示す。
【０１４９】
業務ワークステーション１２−２に接続された印影表示装置１４で印影データを表示中に、業務ワークステーション１２−１内の印鑑照合メイン制御部２３がオペレータの入力した表示切り替え情報を受信すると（Ｓ４１）、該印鑑照合メイン制御部２３は、受信した表示切り替え情報を基にメモリ２６内の表示装置制御リストを参照して切り替え先表示装置を判断する（Ｓ４２）。
【０１５０】
次に、業務ワークステーション１２−１内の印鑑照合メイン制御部２３は、切り替え元表示装置のある業務ワークステーション１２−２との連携制御をワークステーション連携制御部２４に依頼し、ワークステーション連携制御部２４を介して業務ワークステーション１２−２に表示切り替え依頼を行う（Ｓ４３）。
【０１５１】
その後、印鑑照合メイン制御部２３は、業務ワークステーション１２−２からの印影データを受信すると（Ｓ４４）、受信した印影データをメモリ２６に格納する（Ｓ４５）。そして、前記受信した印影データの表示依頼を行う（Ｓ４６）。この場合、切り替え先表示装置が業務ディスプレイ装置１３−１であれば、印鑑照合メイン制御部２３は、業務ディスプレイ印影表示処理部２７に対して前記表示依頼を行う。
【０１５２】
そして、印鑑照合メイン制御部２３は、業務ディスプレイ印影表示処理部２７からの情報を基に、業務ディスプレイ装置１３−１で印影データが表示されたことを確認すると（Ｓ４７）、ワークステーション連携制御部２４を介して切り替え元表示装置のある業務ワークステーション１２−２へ印影表示を通知する（Ｓ４８）。
【０１５３】
§１３：他業務ワークステーションで表示中の印影を自業務ワークステーションへ切り替える場合の他業務ワークステーション内印鑑照合メイン制御部の処理説明・・・図１０、図１２参照
図１２は他業務ワークステーション内印鑑照合メイン制御部の処理フローチャート３である。以下、図１０を参照しながら図１２に基づき、他業務ワークステーションで表示中の印影を自業務ワークステーションへ切り替える場合の他業務ワークステーション内印鑑照合メイン制御部の処理を説明する。なお、Ｓ５１〜Ｓ５４は各処理ステップを示す。
【０１５４】
業務ワークステーション１２−２内において、印鑑照合メイン制御部２３は、ワークステーション連携制御部２４により起動されると処理を開始する。そして、ワークステーション連携制御部２４を介して業務ワークステーション１２−１からの印影データの表示切り替え依頼を受信する（Ｓ５１）。
【０１５５】
次に、印鑑照合メイン制御部２３は、メモリ２６から印影データ（現在表示中の印影データと同じもの）を読み出し、その印影データをワークステーション連携制御部２４を介して切り替え先表示装置のある業務ワークステーション１２−１へ送る（Ｓ５２）。
【０１５６】
その後、印鑑照合メイン制御部２３は、業務ワークステーション１２−１からの印影表示通知を受信すると（Ｓ５３）、切り替え元表示装置での印影データの表示消去を依頼する（Ｓ５４）。この例では、切り替え元表示装置は業務ワークステーション１２−２に接続された印影表示装置１４なので、印鑑照合メイン制御部２３は、印影表示装置印影表示処理部２９に対して、印影データの表示消去を依頼する。
【０１５７】
§１４：他業務ワークステーションで表示中の印影を、別の他業務ワークステーションへ切り替える場合の処理説明
この場合は、他業務ワークステーションの印影データを自業務ワークステーション１２−１へコピーし、その後、切り替え先の業務ワークステーションに印影データをコピーし、表示装置に表示させる。その後、切り替え元の業務ワークステーションの印影画面、及び印影データを消去することにより表示切り替えを行う。
【０１５８】
§１５：印影表示時の印影データ送受信処理の説明・・・図１３参照
図１３は実施例の処理説明図４（印影表示時の印影データ送受信処理）である。以下、図１３に基づいて、印影表示時の印影データ送受信処理を説明する。
【０１５９】
以下の説明では、業務ワークステーション１２−１に業務ディスプレイ装置１３−１と印影表示装置１４−１が接続されており、業務ワークステーション１２−２に印影表示装置１４−２が接続されており、業務ワークステーション１２−３に印影表示装置１４−３が接続されているものとする。
【０１６０】
そして、印影表示（表示切り替えを含む）を行うための操作は、業務ワークステーション１２−１の入力装置（図示省略）から行うものとする。この場合、業務ワークステーション１２−１を自業務ワークステーション、または自ノード、業務ワークステーション１２−２、１２−３を他業務ワークステーション、または他ノードと記す。
【０１６１】
また、業務ワークステーション１２−１から検索条件等を入力して業務ワークステーション１２−１、１２−２、１２−３の印影表示装置１４−１、１４−２、１４−３にそれぞれ印影１、２、３を表示するものとする。
【０１６２】
業務ワークステーション１２−１の印鑑照合メイン制御部２３は、入力装置（図示省略）から印鑑照合依頼を受けたタイミングで、メモリ２６内の印影管理テーブルに印影通番（印鑑照合依頼毎にシステム内でユニークな番号を設定する）を作成して、メモリ２６に書き込む。なお、この例では印影通番はＷ１０１、Ｗ１０２、Ｗ１０３・・・のようになっている。
【０１６３】
次に、業務ワークステーション１２−１では、印鑑照合メイン制御部２３の制御により印鑑照合依頼に連動する検索条件入力画面を作成して表示し、印鑑照合メイン制御部２３が印影管理テーブル上の印影通番と検索条件入力画面識別子（画面上の１、２、３等の識別子）を対応させてメモリ２６に格納する。
【０１６４】
そして、オペレータによる印影データの検索条件入力後、印鑑照合メイン制御部２３は指定表示装置の情報を解析し、表示装置が自ノードの場合は、印影管理テーブル上の管理ノードに自ノードの識別子を対応させ、コントローラ通信制御部２１を介して印鑑照合用コントローラ６にアクセスして該当印影データを獲得し該当する表示装置で印影データを表示する。なお、獲得した印影データは、業務ワークステーション１２−１のメモリ２６に格納して保管する。
【０１６５】
また、オペレータによる表示装置の指定が他ノードの場合は、印鑑照合メイン制御部２３が印影管理テーブル上の管理ノードに他ノードの業務ワークステーション番号（ワークステーション１、ワークステーション２・・・）を対応させ、連携ステータスに依頼元の識別子を対応させた後、ワークステーション連携制御部２４に連携制御を依頼する。
【０１６６】
例えば、業務ワークステーション１２−２の印影表示装置１４−２へ印影データを表示する場合、業務ワークステーション１２−１のワークステーション連携制御部２４は、業務ワークステーション１２−２のワークステーション連携制御部２４に対し、印影通番を通知すると共に、業務ワークステーション間連携パス番号の通知を要請する。
【０１６７】
業務ワークステーション１２−２のワークステーション連携制御部２４は、自業務ワークステーションの印鑑照合メイン制御部２３に依頼して、印影管理テーブルに対し、前記通知された印影通番を書き込む。更に、印鑑照合メイン制御部２３にて対応する管理ノードに、自ノードの識別子を対応させ、連携ステータスに依頼先の識別子を対応させ、コントローラ通信制御部２１を介して印鑑照合用コントローラ６より該当印影データを取得して表示する。
【０１６８】
更に、ワークステーション連携制御部２４において、業務ワークステーション間連携パス番号（印鑑照合依頼毎のシステム内でユニークな番号とする）を作成し、管理テーブルへ対応付け、業務ワークステーション１２−１のワークステーション連携制御部２４へ通知する。
【０１６９】
業務ワークステーション１２−１のワークステーション連携制御部２４は、業務ワークステーション間連携パス番号を印影管理テーブルに対応付ける。印影３の表示も同様な処理により行われる。
【０１７０】
一方、既に表示している印影を表示切り替えにより他ノードの表示装置へ表示させる場合、検索条件入力画面を表示している業務ワークステーションの印鑑照合メイン制御部２３にて表示先ノードを判別し、他ノードから自ノードへ切り替わる際は、他ノードの印鑑照合メイン制御部２３へ印影データのコピーを依頼し、印影データをコピーし、表示させた後、該当連携パス開放を依頼する。
【０１７１】
また、自ノードの印影データを他ノードの表示装置へ表示する場合は、該当ノードとの連携パスをはり、自ノードの印影データを該当ノードへコピーし表示する。
【０１７２】
更に、他ノードの印影データを他ノードの表示装置へ表示する場合は、自ノードと表示切り替え先ノードとの連携パスをはり、自ノードを経由して切り替え元から切り替え先へ印影データをコピーし、切り替え元との連携パスの開放を依頼する。若しくは、切り替え元と切り替え先間の一時的な連携パスをはり、印影データをコピーし表示する。
【０１７３】
前記の制御方法で表示を行うと、表示装置の存在する業務ワークステーション毎に、印影データが分散管理され、検索依頼を行った業務ワークステーションに負荷が集中することがない。
【０１７４】
また、業務ワークステーション間連携を行っている際は、連携パスにより処理依頼が容易に行えるため、表示切り替え時に、再度コントローラから印影データを取得する必要もなく、印影データの送受信回数を削減し、表示切り替えが速くなる。
【０１７５】
以上のように、オペレータが入力した表示装置の指定情報、或いは切り替え情報に基づき、任意の表示装置で印影データの表示を自動的に行うことができる。従って、印影データの表示先を変更しても、自動的に切り替え先の表示装置において印影データの表示を行うことができるから、切り替え先の表示装置を使用して印鑑照合（印影照合）処理を行うことが可能になる。
【０１７６】
§１６：印影表示時の印影データ送受信処理における自業務ワークステーション内印鑑照合メイン制御部の処理説明・・・図１３、図１４参照
図１４は自業務ワークステーション内印鑑照合メイン制御部の処理フローチャート４である。以下、図１３を参照しながら図１４に基づき、印影表示時における自業務ワークステーション内印鑑照合メイン制御部の処理を説明する。なお、Ｓ６１〜Ｓ７０は各処理ステップを示す。
【０１７７】
業務ワークステーション１２−１内において、印鑑照合メイン制御部２３は、オペレータが入力した印鑑照合依頼を受信すると、メモリ２６内の印影管理テーブル上に印影通番を作成する（Ｓ６１）。そして、検索条件入力画面の表示依頼を行う（Ｓ６２）。この場合、検索条件入力画面は業務ディスプレイ装置１３−１で行うので、印鑑照合メイン制御部２３は業務ディスプレイ印影表示処理部（図示省略）に対して前記表示依頼を行う。
【０１７８】
次に、印鑑照合メイン制御部２３は、メモリ２６内の印影管理テーブル上の印影通番と検索条件入力画面識別子を対応させる（Ｓ６３）。その後、印鑑照合メイン制御部２３は、オペレータが検索条件を入力したことを確認すると（Ｓ６４）、前記検索条件と共にオペレータが入力した表示装置指定情報から表示装置を判断する（Ｓ６５）。
【０１７９】
そして、指定された表示装置が自業務ワークステーション１２−１に接続された表示装置（この例では、印影表示装置１４−１）であれば（Ｓ６６）、印鑑照合メイン制御部２３は、メモリ２６内の印影管理テーブル上の管理ノードに自ノードの識別子を対応させる（Ｓ６７）。
【０１８０】
次に、印鑑照合メイン制御部２３は、印鑑照合用コントローラ６にアクセスして印鑑データを獲得しメモリ２６に格納すると共に、前記獲得した印影データの表示依頼を行う（Ｓ６８）。
【０１８１】
一方、前記Ｓ６６の処理で、指定された表示装置が他業務ワークステーションに接続された表示装置であれば、印鑑照合メイン制御部２３は、印影データ管理テーブル上の管理ノードに、他ノードの業務ワークステーション番号を対応させ、連携ステータスに依頼元の識別子を対応させる（Ｓ６９）。そして、印鑑照合メイン制御部２３は、ワークステーション連携制御部２４に印影データの表示に関する連携制御を依頼する（Ｓ７０）。
【０１８２】
§１７：印影表示時における他業務ワークステーション内印鑑照合メイン制御部の処理説明・・・図１３、図１５参照
図１５は他業務ワークステーション内印鑑照合メイン制御部の処理フローチャート４である。以下、図１３を参照しながら図１５に基づき、印影表示時における他業務ワークステーション内印鑑照合メイン制御部の処理を説明する。なお、Ｓ８１〜Ｓ８４は各処理ステップを示す。
【０１８３】
他業務ワークステーション内において、印鑑照合メイン制御部２３はワークステーション連携制御部２４により起動されて処理を開始する。そして、印鑑照合メイン制御部２３は、メモリ２６内の印鑑管理テーブルに業務ワークステーション１２−１から通知された印影通番を格納する（Ｓ８１）。
【０１８４】
次に、印鑑照合メイン制御部２３は、メモリ２６内の印影管理テーブル上の対応する管理ノードに、自ノードの識別子を対応させる（Ｓ８２）。その後、印鑑照合メイン制御部２３は、印鑑照合用コントローラ６にアクセスして、印影データを獲得し（Ｓ８３）、メモリ２６に格納する。そして、印鑑照合メイン制御部２３は、指定された表示装置での前記印影データの表示依頼を行う（Ｓ８４）。
【０１８５】
§１８：運用例１の説明・・・図１６参照
図１６は実施例の運用例１の説明図である。以下、図１６に基づいて運用例１を説明する。
【０１８６】
この例は、各業務ワークステーションの業務ディスプレイ装置をディフォルトとした運用例である。すなわち、業務ワークステーション１２−１の表示装置制御リストでは、業務ディスプレイ装置１３−１が優先度１であり、業務ワークステーション１２−２の表示装置制御リストでは業務ディスプレイ装置１３−２が優先度１であり、業務ワークステーション１２−３の表示装置制御リストでは業務ディスプレイ装置１３−３が優先度１となっている。
【０１８７】
従って、通常は各業務ワークステーション１２−１〜１２−３の業務ディスプレイ装置１３−１、１３−２、１３−３にて印影データを表示（ディフォルト表示）し、印鑑照合を行う。
【０１８８】
しかし、印影の複雑なものもあるので、その場合は、画面解像度の高い印影表示装置１４−１、１４−３に表示切り替えを行うことで印鑑照合を行う。この場合、印影表示装置１４−１、１４−３は業務ワークステーション１２−２のオペレータが必要に応じて使用可能である。
【０１８９】
このような運用を行うことにより、高価な印影表示装置の台数を少なくしてシステム導入コストを削減することができる。
§１９：運用例２の説明・・・図１７参照
図１７は実施例の運用例２の説明図である。以下、図１７に基づいて運用例２を説明する。図１７は、業務ワークステーション１２−１、１２−３のオペレータがそれぞれ、印影表示装置１４−１、１４−３を使用して印影(2) 、印影(3) の印影表示を行っている状態を示している。
【０１９０】
この例は、印影表示装置１４−１、１４−３をディフォルトとした運用例である。すなわち、業務ワークステーション１２−１の表示装置制御リストでは、印影表示装置１４−１が優先度１であり、業務ワークステーション１２−３の表示装置制御リストでは印影表示装置１４−３が優先度１となっている。
【０１９１】
従って、通常は、ディフォルト指定された印影表示装置１４−１、１４−３により印影データの表示を行う。しかし、該当する印影表示装置が使用中の場合、他の表示装置に切り替えて印影データの表示を行う。
【０１９２】
このような運用では、常に高解像度の印影表示装置で印影データの表示を確実に行うことができる。また、印影表示装置が使用中の場合でも、表示切り替えにより他の表示装置で印鑑照合を行うことができるので、印鑑照合を効率的に行うことができる。また、顧客待ち時間も最小限に抑えることができる。
【０１９３】
§２０：運用例３の説明・・・図１８参照
図１８は実施例の運用例３の説明図である。以下、図１８に基づいて運用例３を説明する。
【０１９４】
この例は、表示中の印影表示装置を変更する運用例である。現在使用している印影表示装置を他のオペレータが使用したい場合、他の表示装置へ表示切り替えし、他のオペレータに該当印影表示装置を使用させることができる。
【０１９５】
例えば、業務ワークステーション１２−２のオペレータが、印影表示装置１４−１を使用中に、業務ワークステーション１２−１のオペレータが印鑑照合を行う場合、業務ワークステーション１２−２のオペレータが印影表示装置１４−３に表示切り替えすることにより、業務ワークステーション１２−１のオペレータが印影表示装置１４−１を使用して印鑑照合を行うことができる。このようにすれば、印鑑照合が効率的に行え、顧客待ち時間を少なくすることができる。
【０１９６】
§２１：運用例４の説明・・・図１９参照
図１９は実施例の運用例４の説明図である。以下、図１９に基づいて運用例４を説明する。
【０１９７】
この例は、表示中の印影の照合を他のオペレータに依頼する運用例である。この場合、先ず、自業務ワークステーションにて印影検索条件を入力し、印影を表示する。次に、依頼したいオペレータが使用している表示装置へ表示切り替えし、出金伝票等の書類を該当オペレータへ渡し、印鑑照合を依頼する。
【０１９８】
例えば、業務ワークステーション１２−１のオペレータが印影表示装置１４−１に印影を表示し、印影表示装置１４−３に表示切り替えした後、業務ワークステーション１２−３のオペレータに出金伝票等の書類を渡し、印鑑照合を依頼する。
【０１９９】
このようにすれば、オペレータ間のコミュニケーションにより、繁忙期の印鑑照合業務の分散ができ、効率の良い業務が可能になる。
（他の実施例）
以上実施例について説明したが、本発明は次のようにしても実施可能である。
【０２００】
(1) ：端末装置は、ワークステーションに限らず、他の同様な端末装置（例えば、パソコン等）を使用可能である。
(2) ：ＬＡＮ回線に端末装置の接続台数、及び印影表示装置の台数は任意である。
【０２０１】
【発明の効果】
以上説明したように、本発明によれば次のような効果がある。
(1) ：従来、印鑑照合システムの印影表示制御装置と、印影表示装置間を接続していた接続ケーブルが不要になるので、印影表示装置を多数設置した場合でも、接続ケーブルによるシステム設置環境の悪化はなくなる。また、印影表示制御装置が不要になるので、その分システムのコスト低減が可能になる。
【０２０２】
(2) ：業務ワークステーション等の端末装置において、印鑑照合が効率良く行えるので、印影表示装置の台数を増やさなくても済み、システム導入コストの削減と、顧客待ち時間の削減が可能になる。その結果、金融機関等において顧客へのサービスアップができる。
【０２０３】
(3) ：業務ディスプレイ装置をディフォルト表示装置に指定した運用を行うことで、印影表示装置の台数を削減でき、システム導入コストを削減することができる。
【０２０４】
(4) ：オペレータ間のコミュニケーションにより、印影表示装置の使用効率を向上させることができる。また、マシンネックにより顧客を待たせることが少なくなる。このため、顧客へのサービスを向上させることができる。
【０２０５】
(5) ：表示中の印影表示の切り替えが簡単、かつ自由にできるので、オペレータの離席回数を減らすことができる。また、全ての業務ワークステーションに印影表示装置を接続しなくても、前記印影表示の切り替えにより効率良く印鑑照合ができるので、印影表示装置の台数を少なくすることができ、その分システム導入コストが削減できる。
【０２０６】
(6) ：表示中の印影の照合を他のオペレータに依頼する運用により、繁忙時の印鑑照合業務の分散が行える。このため、効率の良い印鑑照合業務が可能になり、顧客待ち時間を減少させることができる。
【０２０７】
(7) ：端末装置は通信回線を介して印鑑照合用コントローラに接続され、かつ、少なくとも印影データを表示する表示装置が接続されると共に、印鑑照合を行う際、入力された印影の検索条件、及び表示装置の指定情報を基に、前記印鑑照合用コントローラに依頼して印影データを獲得し、その印影データを指定された表示装置へ表示する印影データ表示制御手段を備えている。
【０２０８】
従って、従来、印鑑照合システムの印影表示制御装置と、印影表示装置間を接続していた接続ケーブルが不要になるので、接続ケーブルによるシステム設置環境の悪化はなくなる。
【０２０９】
また、業務ワークステーションにおいて、印鑑照合が効率良く行えるので、印影表示装置の台数を増やさなくても済み、システム導入コストの削減と、顧客待ち時間の削減が可能になる。その結果、金融機関等において顧客へのサービスアップができる。
【０２１０】
(8) ：端末装置は通信回線を介して印鑑照合用コントローラに接続され、かつ、各種情報を表示する業務ディスプレイ装置、及び印影表示装置に接続されると共に、印鑑照合を行う際、入力された印影の検索条件、及び表示装置の指定情報を基に、印鑑照合用コントローラに依頼して印影データを獲得し、その印影データを指定された表示装置へ表示する印影データ表示制御手段を備えている。
【０２１１】
従って、従来、印鑑照合システムの印影表示制御装置と、印影表示装置間を接続していた接続ケーブルが不要になるので、印影表示装置を多数設置した場合でも、接続ケーブルによるシステム設置環境の悪化はなくなる。
【０２１２】
また、業務ワークステーションにおいて、印鑑照合が効率良く行えるので、印影表示装置の台数を増やさなくても済み、システム導入コストの削減と、顧客待ち時間の削減が可能になる。その結果、金融機関等において顧客へのサービスアップができる。
【０２１３】
(9) ：印鑑照合を行う際、表示装置制御リストを作成するリスト作成手段と、表示装置制御リストを基に印影の検索条件入力画面に表示装置選択情報を表示させる画面表示手段を備えている。
【０２１４】
従って、表示装置制御リストを用いて効率良く表示装置の選択制御ができると共に、表示された表示装置選択情報から、印影を表示させる表示装置を簡単、かつ効率的に選択することができる。
【０２１５】
(10)：印影の検索条件入力画面を表示させる際、内部に保持されている表示装置制御用の表示装置制御リストを参照し、優先度の最も高い表示装置をディフォルト表示する画面表示手段を備えている。
【０２１６】
従って、ディフォルト表示した表示装置の情報により、オペレータは、表示装置をダイレクトに選択することができ、処理効率が向上する。
(11)：印影表示させる表示装置の指定が他の端末装置に接続された表示装置の場合、他の端末装置と連携して前記獲得した印影データを他の端末装置側で表示させるための印影データ連携制御手段を備えている。
【０２１７】
従って、端末装置間の連携制御が簡単に行えるので、表示装置を効率良く使用できる。その結果、顧客待ち時間を減らし、顧客へのサービスが向上できる。
(12)：自業務ディスプレイ装置で印影表示中に表示切り替え指示が出された場合、内部に保持している表示装置制御用の表示装置制御リストを参照し、表示装置制御リスト中の最も優先度の高い印影表示装置へ印影表示を行い、現在表示している業務ディスプレイ装置の印影を消去すると共に、自印影表示装置で印影表示中に表示切り替え指示が出された場合、自業務ディスプレイ装置へ印影表示し、現在表示している自印影表示装置の印影を消去する印影表示切り替え手段を備えている。
【０２１８】
従って、表示中の印影表示の切り替えが簡単、かつ自由にできるので、オペレータの離席回数を減らすことができる。また、全ての業務ワークステーションに印影表示装置を接続しなくても、前記印影表示の切り替えにより効率良く印鑑照合ができるので、印影表示装置の台数を少なくすることができ、その分システム導入コストが削減できる。
【０２１９】
(13)：印影表示中に表示切り替え指示が出された場合、内部に保持している表示装置制御用の表示装置制御リストを参照し、表示制御リスト中の業務ディスプレイ装置を含む最も優先度の高い表示装置へ印影表示を行い、現在表示している表示装置の印影を消去する印影表示切り替え手段を備えている。
【０２２０】
従って、表示中の印影表示の切り替えが表示装置制御リストの情報に従って簡単、かつ自由にできるので、オペレータの離席回数を減らすことができる。また、全ての業務ワークステーションに印影表示装置を接続しなくても、前記印影表示の切り替えにより効率良く印鑑照合ができるので、印影表示装置の台数を少なくすることができ、その分システム導入コストが削減できる。
【０２２１】
(14)：印影表示制御を行うための印影管理テーブルに、印鑑照合依頼毎の番号である印影通番、端末装置間の連携パス情報、管理ノード情報、端末装置間の連携ステータス情報、及び検索条件入力画面の識別情報を含む管理情報を書き込んで管理するテーブル管理手段と、印影表示の表示装置が自ノードに指定された場合、前記テーブル管理手段に依頼して管理情報を書き込むと共に、印影データを獲得して自ノードの指定された表示装置に印影表示する自ノード印影表示制御手段と、印影表示の表示装置が他ノードに指定された場合、他ノードとの管理情報の送受信を行い、前記テーブル管理手段に依頼して管理情報を書き込むと共に、他ノードの表示装置で印影表示をさせるための連携制御を行う他ノード連携制御手段を備えている。
【０２２２】
従って、表示中の印影の照合を他のオペレータに依頼する運用により、繁忙時の印鑑照合業務の分散が行える。このため、効率の良い印鑑照合業務が可能になり、顧客待ち時間を減少させることができる。
【０２２３】
(15)：他ノードで印影データの表示中に、他ノードから自ノードへ表示切り替えする場合、前記連携パス情報を利用して他ノードとの連携制御を行うことにより、他ノードへ印影データのコピーを依頼して印影データを獲得し、指定された自ノードで印影表示する第１の表示切り替え制御手段と、自ノードで印影データの表示中に、自ノードから他ノードへ表示切り替えする場合、前記連携パス情報を利用して他ノードとの連携制御を行うことにより、自ノードの印影データを該当ノードへコピーして表示させる第２の表示切り替え制御手段と、他ノードで印影データの表示中に、他ノードの印影データを別の他ノードへ表示切り替えする場合、前記連携パス情報を利用して他ノードとの連携制御を行うことにより、自ノードを経由して切り替え元から切り替え先のノードへ印影データをコピーして表示させる第３の表示切り替え制御手段を備えている。
【０２２４】
従って、表示中の印影の照合を他のオペレータに依頼する運用により、繁忙時の印鑑照合業務の分散が行える。このため、効率の良い印鑑照合業務が可能になり、顧客待ち時間を減少させることができる。
【図面の簡単な説明】
【図１】本発明の原理説明図である。
【図２】実施例のシステム構成図である。
【図３】実施例の処理説明図１（印影表示時の表示装置選択処理）である。
【図４】実施例における自業務ワークステーション内印鑑照合メイン制御部の処理フローチャート１である。
【図５】実施例における他業務ワークステーション内印鑑照合メイン制御部の処理フローチャート１である。
【図６】実施例における表示装置制御リストの説明図である。
【図７】実施例の処理説明図２（自業務ワークステーション→他業務ワークステーション切り替え）である。
【図８】実施例における自業務ワークステーション内印鑑照合メイン制御部の処理フローチャート２である。
【図９】実施例における他業務ワークステーション内印鑑照合メイン制御部の処理フローチャート２である。
【図１０】実施例の処理説明図３（他業務ワークステーション→自業務ワークステーション切り替え）である。
【図１１】実施例における自業務ワークステーション内印鑑照合メイン制御部の処理フローチャート３である。
【図１２】実施例における他業務ワークステーション内印鑑照合メイン制御部の処理フローチャート３である。
【図１３】実施例の処理説明図４（印影表示時の印影データ送受信処理）である。
【図１４】実施例における自業務ワークステーション内印鑑照合メイン制御部の処理フローチャート４である。
【図１５】実施例における他業務ワークステーション内印鑑照合メイン制御部の処理フローチャート４である。
【図１６】実施例における運用例１の説明図である。
【図１７】実施例における運用例２の説明図である。
【図１８】実施例における運用例３の説明図である。
【図１９】実施例における運用例４の説明図である。
【図２０】従来例の説明図である。
【符号の説明】
３  印鑑照合システム
５  印影データ用ファイル
６  印鑑照合用コントローラ
１２−１、１２−２  業務ワークステーション
１２−１Ａ、１２−２Ａ  端末装置
１３−１、１３−２  業務ディスプレイ装置
２１  コントローラ通信制御部
２２  業務処理部
２３  印鑑照合メイン制御部
２４  ワークステーション連携制御部
２４Ａ  連携制御部
２５  検索条件処理部
２６  メモリ
２７  業務ディスプレイ印影表示処理部
２８  入力装置
【図１】
0003667822.tif 000002
【図２】
0003667822.tif 000003
【図３】
0003667822.tif 000004
【図４】
0003667822.tif 000005
【図５】
0003667822.tif 000006
【図６】
0003667822.tif 000007
【図７】
0003667822.tif 000008
【図８】
0003667822.tif 000009
【図９】
0003667822.tif 000010
【図１０】
0003667822.tif 000011
【図１１】
0003667822.tif 000012
【図１２】
0003667822.tif 000013
【図１３】
0003667822.tif 000014
【図１４】
0003667822.tif 000015
【図１５】
0003667822.tif 000016
【図１６】
0003667822.tif 000017
【図１７】
0003667822.tif 000018
【図１８】
0003667822.tif 000019
【図１９】
0003667822.tif 000020
【図２０】
0003667822.tif 000021